(57)【要約】【課題】  比視感度の差によって画面上に黒い格子模様が見えてしまうことのない表示品位の高い画像を形成する表示装置を提供し、またこれを用いたプロジェクタを提供すること。【解決手段】  比視感度の低い赤及び青の色要素の領域である表示領域Ｒ、Ｂの面積を、比視感度の高い緑の色要素の領域である表示領域Ｇの面積より小さくすることにより、プロジェクタ１００により投射画像を形成した際に、比視感度の差によって画面上に黒い格子模様となって見えてしまう部分を見えなくする、あるいは目立たなくすることができる。【選択図】図２
2006201676.tif 000002
【特許請求の範囲】
【請求項１】
複数色の色光成分を射出する光源装置と、
一対の基板間に挟持された液晶を含んで構成される複数の表示画素を有する液晶パネルと、
前記液晶パネルの一面側に形成され、前記複数の表示画素に対応する各表示領域をそれぞれ形成する前記複数色の色要素を含むとともに、前記複数色を一括した合成領域において、前記複数色の色要素のうち比視感度の低い所定色の色要素が形成する前記表示領域の面積比率を他色の色要素が形成する前記表示領域の面積比率より小さくしたカラーフィルタと
を備える表示装置であって、
前記液晶パネルに入射する前記複数色の色光のうち、前記所定色の光量は、前記他色の光量より大きいことを特徴とする表示装置。
【請求項２】
前記複数色の色光は、各色要素の面積比率に対応して光量調整されていることを特徴とする請求項１記載の表示装置。
【請求項３】
前記所定色は、青色及び赤色の少なくとも一方であることを特徴とする請求項１及び請求項２のいずれか一項記載の表示装置。
【請求項４】
前記光源装置は、前記所定色及び前記他色に対応する色光のうち、少なくとも短波長側の色光成分を発生する発光ダイオードを含むことを特徴とする請求項１記載から請求項３のいずれか一項記載の表示装置。
【請求項５】
前記所定色の色要素は、２色以上であり、当該２色以上の色要素に対応する前記表示領域は、前記合成領域内で離散配置されることを特徴とする請求項１から請求項４のいずれか一項記載の表示装置。
【請求項６】
前記所定色の色要素に対応する前記表示領域は、前記合成領域内で互いに離散配置された複数の部分領域を含むことを特徴とする請求項１から請求項５のいずれか一項記載の表示装置。
【請求項７】
前記合成領域は、前記各表示領域のうち、前記他の色要素によって形成される前記表示領域に対応して分割された複数の分割領域を含み、当該複数の分割領域は、前記他の色要素に対応する同系色で異なる複数色の色要素によって形成されることを特徴とする請求項１から請求項６のいずれか一項記載の表示装置。
【請求項８】
請求項１から請求項７のいずれか一項記載の表示装置と、
前記表示装置によって形成される像光を投射光として投射する投射光学系と
を備えるプロジェクタ。
【発明の詳細な説明】
【技術分野】
【０００１】
本発明は、複数色の色要素を含むカラーフィルタによりカラー画像を表示する表示装置等に関する。
【背景技術】
【０００２】
従来技術として、カラーフィルタ方式の液晶パネルを用いた投射型の液晶表示装置が知られている（例えば、特許文献１等）。
【０００３】
また、液晶パネルとして、光源の波長分布特性に合わせてカラーフィルタのフィルタ画素の面積比率を変えて各色の光量を制御するものも知られている（特許文献２）。
【０００４】
また、上記のような液晶表示装置ではないが、画像表示装置として、電子源から出る電子と蛍光体スクリーンとの組み合わせにおいて、三原色蛍光体の面積比率を変えるものが知られている（特許文献３）。
【特許文献１】特開平５−３４１２６０号公報
【特許文献２】実開平６−２３０３５号公報
【特許文献３】特開２０００−２１７１２５号公報
【発明の開示】
【発明が解決しようとする課題】
【０００５】
しかしながら、カラーフィルタ方式の液晶パネルを用いた表示装置を、例えば、プロジェクタとして用いた場合、白色を投射しても、カラー画像を形成する画素のうち、例えば、青色や赤色の部分は、他の色に比べ比視感度が低く、同じ明るさであっても暗く見えることから、これらが画面上に黒い格子のように見えてしまうという問題がある。
【０００６】
また、光源の波長分布特性に合わせてカラーフィルタのフィルタ画素の面積比率を変える場合、各色の光量を制御することで、例えば、ホワイトバランスを調整するといったことはできても、比視感度の差によって形成される黒い格子模様を目立たないようにできるとは限らない。
【０００７】
また、蛍光体スクリーンの三原色蛍光体の面積比率を変える技術は、電子を蛍光体に衝突させて発光させる自発光型の画像表示装置についてのものである。一方、カラーフィルタ方式の液晶パネルを用いたプロジェクタにおいて、当該液晶パネルは、自発光型ではないため、別に光源を要する。従って、用いる光源ごとに固有の波長分布特性があり、当該技術は、そのままでは適用することができない。
【０００８】
そこで、本発明は、プロジェクタとして用い、比視感度の差によって画面上に黒い格子模様が見えてしまうことのない表示品位の高い画像を形成する表示装置を提供し、またこれを用いたプロジェクタを提供することを目的とする。
【課題を解決するための手段】
【０００９】
上記課題を解決するために、本発明に係る表示装置は、複数色の色光成分を射出する光源装置と、一対の基板間に挟持された液晶を含んで構成される複数の表示画素を有する液晶パネルと、液晶パネルの一面側に形成され、複数の表示画素の各表示領域をそれぞれ形成する上記複数色の色要素を含むとともに、複数色を一括した合成領域において、複数色の色要素のうち比視感度の低い所定色の色要素が形成する表示領域の面積比率を他色の色要素が形成する表示領域の面積比率より小さくしたカラーフィルタとを備え、液晶パネルに入射する複数色の色光のうち、上記所定色の光量は、他色の光量より大きいことを特徴とする。
【００１０】
カラーフィルタ方式の液晶パネルを用いた表示装置を、例えば、プロジェクタに用いて、白色を投射すると、カラー画像を形成する画素のうち、青色や赤色の色要素の部分は、他の色に比べ比視感度が低く、同じ明るさであっても暗く見えてしまう。この現象は、色光の比視感度に起因するもので、特に、プロジェクタのように拡大投射する場合、１つ１つの画素が大きくなるため、暗くなる部分が目立つ可能性がある。
【００１１】
一方、複数色の色光成分を射出する光源装置を用いた場合、用いる光源に固有の波長分布特性がある。例えば、光源として、黄色蛍光体と青色発光ダイオードとを組み合わせた白色光源が使われることがあるが、この場合、青色光の光量が他の色光の光量より大きくなる。
【００１２】
本発明では、比視感度の低い所定色の色要素によって形成される表示領域の面積比率を他色の色要素によって形成される表示領域の面積比率より小さくしたカラーフィルタを用いることによって当該プロジェクタによる投射画像において、比視感度の差によって通常暗く見えてしまう部分を見えなくする、あるいは目立たなくすることができる。また、一方、光源については、上記表示領域の面積比率に応じて当該所定色の光量を他色の光量より大きくすることで各色間のバランスを保つことができる。例えば、黄色蛍光体と青色発光ダイオードとを組み合わせた白色光源の特性をそのまま利用して概ね各色間のバランスを保つことができる。
【００１３】
また、本発明の具体的な態様として、複数色の色光が、各色要素の面積比率に対応して光量調整されている。この場合、複数色の色光全体で適切なホワイトバランスのとれた像光の形成が可能となる。
【００１４】
また、本発明の具体的な態様として、所定色が、青色及び赤色の少なくとも一方である。この場合、比視感度の低い青色や赤色の部分について表示領域の面積比率が小さくなり、画面上に現れる黒い格子模様を見えなくする、あるいは目立たなくすることができる。
【００１５】
また、本発明の具体的な態様として、光源装置が、所定色及び他色に対応する色光のうち、少なくとも短波長側の色光成分を発生する発光ダイオードを含む。この場合、使用する発光ダイオードの選択により、当該色光等の光量を必要に応じて調整し、所望のものとなるようにすることができる。
【００１６】
また、本発明の具体的な態様として、所定色の色要素が、２色以上であり、当該２色以上の色要素に対応する表示領域が、合成領域内で離散配置される。この場合、色要素に対応する表示領域が離散配置されることで、より効率的に、画面上に現れる黒い格子模様を見えなくする、あるいは目立たなくすることができる。
【００１７】
また、本発明の具体的な態様として、所定色の色要素に対応する表示領域が、合成領域内で互いに離散配置された複数の部分領域を含む。この場合、複数の部分領域に分配されることで、表示領域が分散され、その結果、さらに効率的に、画面上に現れる黒い格子模様を見えなくする、あるいは目立たなくすることができる。
【００１８】
また、本発明の具体的な態様として、合成領域が、他の色要素によって形成される表示領域に対応して分割された複数の分割領域を含み、当該複数の分割領域が、他の色要素に対応する同系色で異なる複数色の色要素によって形成される。この場合、同系色で異なる複数色の色要素を用いることでより表現力のあるカラー画像が形成される。
【００１９】
また、上記課題を解決するための本発明に係るプロジェクタは、上記いずれかの表示装置と、表示装置によって形成される像光を投射光として投射する投射光学系とを備える。この場合、本発明に係る表示装置を用いることで、比視感度の差によって生じる画面上の黒い格子模様を見えなくする、あるいは目立たなくすることで表示品位の高い投射画像の形成が可能となる。
【発明を実施するための最良の形態】
【００２０】
〔第１実施形態〕
図１は、第１実施形態の表示装置を組み込んだプロジェクタについて説明するための図である。本実施形態におけるプロジェクタ１００は、表示装置５０と、投射光学系である投射レンズ６０とを備える。さらに、表示装置５０は、光源装置１０と、伸張レンズ２０と、液晶ライトバルブ３０とを備える。
【００２１】
光源装置１０は、光源を含む照明ユニット１１と、基板１２と、放熱装置である冷却フィン１３とを備える。照明ユニット１１は、内部に、ＬＥＤ１４と照明光形成光学系１５とを備え、光源であるＬＥＤ１４により像光形成の必要に足る光量の光源光を発生させ、照明光形成光学系１５により、光源光を光束断面内で均一化し、液晶ライトバルブ３０へ照射する照明光を形成する。基板１２は、ＬＥＤ１４に電力を供給するための配線用の回路パターンを表面に有しており、照明ユニット１１が実装される。冷却フィン１３は、照明ユニット１１での光源光発生の際に生じる熱の放熱を空冷によって行う。
【００２２】
ここで、ＬＥＤ１４として、黄色蛍光体と青色発光ダイオードとを組み合わせた白色光源を用いる。この場合、青色光の光量が他の色光の光量より多くなる。また、ＬＥＤ１４として、青色光、赤色光及び緑色光の３色の発光ダイオードを組み合わせて内蔵したものを使用しても良い。
【００２３】
伸張レンズ２０は、照明光ビーム断面の光学的伸張を行うレンズである。この伸張レンズ２０により、液晶ライトバルブ３０の全面を効率よく照明することができる。
【００２４】
液晶ライトバルブ３０は、液晶パネル３１と、カラーフィルタ３２とを備える。液晶パネル３１は、一対の基板間に挟持された液晶を含んで構成される複数の表示画素を有しており、電気的信号として入力された駆動信号或いは画像信号に応じて表示画素単位で照明光の偏光状態を調整することにより、照明光から変調光を形成する。カラーフィルタ３２は、液晶パネル３１の一方の透明基板上に形成されており、複数の表示画素の１つ１つに対応して赤、緑、青の３原色が規則正しく配置され、赤、緑、青の一塊で、１つのカラー表示画素を形成している（詳しくは図２以下で後述）。
【００２５】
液晶ライトバルブ３０は、内蔵する偏光板（不図示）により入射した照明光の偏光方向を特定方向に限定する。さらに液晶ライトバルブ３０は、液晶パネル３１によって、特定方向に限定された偏光成分からなる照明光から変調光を形成し、カラーフィルタ３２によって、変調光は各色の色光として射出される。さらに、液晶ライトバルブ３０は、内蔵する検光子（不図示）により、各色の色光として形成された変調光から特定方向の偏光成分を選択することで像光を形成する。尚、液晶ライトバルブ３０の駆動回路（不図示）により駆動信号が各画素に伝達されることで各色の光の透過光量が制御されている。
【００２６】
投射レンズ６０は、液晶ライトバルブ３０で形成されたカラーの像光を投射光としてスクリーン（不図示）へ適当な拡大率で投射する。
【００２７】
以下、光路の順を追って本実施形態におけるプロジェクタ１００の機能を説明する。ＬＥＤ１４から射出された各色光すなわち各色光成分を含む光源光が、まず、照明光形成光学系１５によって光束断面内で均一化されることにより、照明光が形成される。形成された照明光は、伸張レンズ２０によって光学的伸張が行われる。即ち、投射すべき画像の輪郭に合わせて縮約比が調整される。光学的に伸張された照明光は、液晶ライトバルブ３０において、まず偏光方向が調整され、液晶パネル３１により電気的信号として入力された駆動信号或いは画像信号に応じて、画素単位で偏光状態が調整されるとともに、内蔵されたカラーフィルタ３２により各色の色光として形成される。さらに、各色の色光として形成された照明光は、所定の偏光方向の成分が取り出され、像光となって射出される。射出された像光は、投射レンズ６０によって投射光としてスクリーン等に投射され、当該スクリーン上に所望の拡大率の画像が表示される。
【００２８】
尚、本実施形態では、伸張レンズ２０を設けているが、液晶ライトバルブ３０の画像部の形状等によっては光学的伸張の必要性がない場合もある。この場合、伸張レンズ２０は不要となる。
【００２９】
図２（ａ）は、第１実施形態に係る表示装置５０において、液晶ライトバルブ３０に設けた液晶パネル３１の一方の透明基板側に形成されているカラーフィルタ３２について説明するための図であり、カラーフィルタ３２中にパターン配列された合成領域３３の一部を拡大した図である。このカラーフィルタ３２中には、液晶パネル３１が有する複数の表示画素３４（図中点線）の１つ１つに対応して赤、緑、青の各色要素の表示領域Ｒ、Ｇ、Ｂが形成されている。各色要素の表示領域Ｒ、Ｇ、Ｂが規則正しく配置されることにより、赤、緑、青の一塊で一括した合成領域３３を１つのカラー表示画素として形成している。特に、図２（ａ）の例においては、表示領域Ｒ、Ｇ、Ｂの面積比率が１：２：１の割合になっており、赤及び青の表示領域Ｒ、Ｂの面積が緑の表示領域Ｇの面積より小さい。尚、合成領域３３は、矩形の領域を形成しており、所謂千鳥型のパターン配列でカラーフィルタ３２の面を形成している。また、各合成領域３３間にある格子状の隙間は、液晶の駆動を担う薄膜トランジスタなどを隠すための所謂ブラックマトリックスに対応するものである。
【００３０】
図２（ａ）に例示するように、比視感度の低い赤及び青の色要素の領域である表示領域Ｒ、Ｂの面積を、比視感度の高い緑の色要素の領域である表示領域Ｇの面積より小さくすることにより、図１において説明したプロジェクタ１００により投射画像を形成した際に、比視感度の差によって画面上に黒い格子模様となって見えてしまう部分を見えなくする、あるいは目立たなくすることができる。
【００３１】
また、一方、図１において説明したプロジェクタ１００において、光源であるＬＥＤ１４には、黄色蛍光体と青色発光ダイオードとを組み合わせた白色光源を用いている。この場合、青色光の光量が他の色光の光量より多くなる。ここで、図２（ａ）における表示領域Ｒ、Ｇ、Ｂの面積比率は、１：２：１の割合になっているので、例えば、ＬＥＤ１４が含む各色光の光量を各色要素の面積比率の逆数比である２：１：２を基準とし、光源のエネルギー比率を加味して光量調整することで適切なホワイトバランスのとれた像光の形成が可能となるようにすれば良い。その場合前述のとおり青色光は光量が多いので結果として表示領域Ｇの比率を大きくとることができるようになる。尚、上述した表示領域Ｒ、Ｇ、Ｂの面積比率は、例示であり、用いる光源に応じてこれ以外のものであっても構わないが、概ね、表示領域Ｒと表示領域Ｇとの面積比率は１：１〜１：２、表示領域Ｂと表示領域Ｇとの面積比率は１：２〜１：４程度とするのが適当である。
【００３２】
以上により、表示装置５０は、表示品位の高い画像を形成することができ、また、プロジェクタ１００は、表示装置５０を用いることで表示品位の高い投射画像を映し出すことが可能となる。
【００３３】
尚、本実施形態において用いているＬＥＤ１４は、青色光の光量が他の色光の光量より多い、という特性を有している。通常このような光源を用いる場合、青色光の光量を減らすことによって光量のバランスを取っているが、本実施形態では、むしろ青色光の光量を通常より多く有することになるので、光量バランスを取るための減光の必要がなく、効率よく光源光を利用することができる。また、光源であるＬＥＤ１４として、３色の発光ダイオードを組み合わせたものを用いた場合は、各色の発光ダイオードの選択により各色光の光量調整の自由度が高まる。この場合、例えば、青色光の光量調整を行い他色光の光量より大きくすれば、表示領域Ｂの面積比率をより小さくすることが可能となる。
【００３４】
図２（ｂ）は、図２（ａ）に例示したカラーフィルタ３２の変形例を示す図であり、各合成領域１３３は、合成領域３３と同様表示領域Ｒ、Ｇ、Ｂによって１つのカラー表示画素として形成されている。変形例の合成領域１３３では、表示領域Ｂの面積が特に小さくなっている。また、表示領域Ｒも表示領域Ｇに比して小さい。尚、図２（ｂ）の場合、合成領域１３３は、所謂ストライプ型の配列となっている。図２（ｃ）は、合成領域１３３を千鳥型の配列としたものである。合成領域１３３の配列パターンは、表示装置５０の使用用途等に応じて適宜選択・変更可能である。
【００３５】
図３（ａ）は、図２（ａ）に例示したカラーフィルタ３２のさらなる変形例を示す図である。これまで、各表示領域Ｒ、Ｇ、Ｂの形状はいずれも矩形であったが、形状はこれに限らない。図３（ａ）では、合成領域２３３中の表示領域Ｇが逆Ｌ字型になっている。この場合も、赤及び青の表示領域Ｒ、Ｂの面積が緑の表示領域Ｇの面積より小さくなっている。尚、合成領域２３３の配列パターンも、他と同様に表示装置５０の使用用途等に応じて適宜選択・変更可能である。
【００３６】
また、図３（ｂ）は、図３（ａ）に例示したカラーフィルタ３２のさらなる変形例を示す図であり、合成領域３３３は、図３（ａ）における合成領域２３３の表示領域のうち、緑の色要素によって形成される表示領域Ｇをさらに複数の分割領域Ｇ１、Ｇ２に分割したものである。分割領域Ｇ１、Ｇ２は、同一の色要素によって形成されていても良いし、同じ緑系の色要素であるが異なる色の色要素によって形成されていてもよい。
【００３７】
同一の色要素を用いる場合、例えば、分割領域Ｇ１では、電気的信号として入力された駆動信号或いは画像信号に応じた色となるようにし、分割領域Ｇ２では、当該分割領域Ｇ２に隣接する分割領域Ｇ１の中間色（具体的には、同一色相で中間明度の色）を出すようにすることができる。つまり、例えば図３（ｂ）において、合成領域３３３のうち、図中中央に位置する第ｍ列の合成領域３３３の分割領域Ｇ２の色が、第ｍ列の分割領域Ｇ２の右隣りに位置する第ｍ列の分割領域Ｇ１の色と左隣りに位置する第ｍ−１列の分割領域Ｇ１の色との中間色となるように駆動信号或いは画像信号を制御する。この場合、画素間の色合いをより滑らかにすることができる。尚、当該中間色の選択として、上述した左右間の中間色以外にも各合成領域３３３の上下間の中間色を選んだり上下左右間の中間色を選んだりすること等も可能であり、これにより、いずれの場合も、より表現力のあるカラー画像が形成される。
【００３８】
また、分割領域Ｇ１、Ｇ２の部分に用いるカラーフィルタ３２の色要素の材料を変えることで、分割領域Ｇ１と分割領域Ｇ２とで異なる色（例えば、分割領域Ｇ１の色を通常の緑、分割領域Ｇ２の色をエメラルドグリーン）とすること等も可能である。この場合、通常表現し難い色彩を表現することが可能となり、より表現力のあるカラー画像が形成される。
【００３９】
尚、本変形例では、表示領域Ｇの分割領域を分割領域Ｇ１、Ｇ２の２領域としているが、これに限らず、表示領域Ｇの分割領域数をさらに増やし、各色の色要素による領域数比率のうち、緑色の色要素による領域数の比率を多くしても良い。つまり、本変形例では、分割領域を分割領域Ｇ１、Ｇ２の２領域としているので、赤、緑、青の各色要素の領域数比率は、１：２：１であるが、例えば、当該比率を１：２：１〜１：４：１程度となるように表示領域Ｇの分割領域数を選択しても良い。
【００４０】
以上、図２（ｂ）、（ｃ）及び図３（ａ）、（ｂ）のいずれの場合においても、図２（ａ）の場合と同様、合成領域３３、１３３、２３３、３３３中の表示領域Ｒ、Ｇ、Ｂの面積比率と光源の光量の比率とを適宜調整して、例えば、適切なホワイトバランスのとれた像光の形成を行うといった、所望の画像特性に応じた像光形成が可能である。
【００４１】
また、図２（ａ）では、表示領域Ｒ、Ｇ、Ｂの面積比率に応じて光源の光量の比率を調整したが、調整の方法はこれに限らず、これとは反対に、光源の波長分布特性によって生じる光源の光量の比率に対応して表示領域Ｒ、Ｇ、Ｂの面積比率を定めても良い。
【００４２】
〔第２実施形態〕
第１実施形態においては、いずれも、比視感度の低い赤及び青の色要素の表示領域Ｒ、Ｂが隣接して配置されていた。第２実施形態では、表示領域Ｒと表示領域Ｂとが互いに合成領域内で離散配置されている場合について説明する。
【００４３】
図４（ａ）は、第２実施形態に係るカラーフィルタ３２について説明するための図であり、カラーフィルタ３２中にパターン配列された合成領域４３３の一部を拡大した図である。図４（ａ）の合成領域４３３においては、表示領域Ｒ、Ｇ、Ｂのうち、表示領域Ｒと表示領域Ｂとが互いに離散した状態で配置されている。この際、隣接する合成領域４３３間においても各表示領域Ｒ、Ｇが離散された状態を保つように配置されている。また、比視感度の低い赤及び青の色要素の表示領域Ｒ、Ｂの面積が緑の表示領域Ｇの面積より小さくなっている。尚、図４（ａ）では、各合成領域４３３がストライプ型に配列されているが、千鳥型の配列等であっても離散配置を保てる。
【００４４】
図４（ａ）に例示するカラーフィルタ３２においては、上述のように比視感度の低い赤及び青の色要素の領域である表示領域Ｒと表示領域Ｂとが互いに合成領域４３３内で離散配置されている。これにより投射画像の画面上の赤及び青の色要素の領域即ち黒い格子模様の原因となる部分が離散して点在した状態となるので、当該部分を見えなくする、あるいは目立たなくすることができる。
【００４５】
図４（ｂ）は、図４（ａ）の変形例を示す図であり、カラーフィルタ３２上にパターン配列された合成領域５３３の一部を拡大した図である。本変形例では、１つの合成領域５３３において、比視感度の低い赤及び青の色要素の領域である表示領域Ｒ、Ｂがそれぞれ複数の部分領域Ｒ１、Ｒ２、Ｂ１、Ｂ２により構成されている。この場合も、各部分領域Ｒ１、Ｒ２と部分領域Ｂ１、Ｂ２とが互いに離散配置されており、隣接する合成領域５３３間においても各部分領域Ｒ１、Ｒ２、Ｂ１、Ｂ２が離散された状態を保つように配列されている。また、比視感度の低い赤及び青の色要素の表示領域Ｒ、Ｂの面積が緑の表示領域Ｇの面積より小さくなっている。尚、同一の合成領域５３３内において、部分領域Ｒ１と部分領域Ｒ２とには同一の画像信号が送られている。部分領域Ｂ１と部分領域Ｂ２とについても同様である。また、図４（ｂ）では、合成領域５３３がストライプ型に配列されているが、千鳥型の配列等であっても離散配置を保てる。尚、図４（ｂ）では、各合成領域５３３の２色につきそれぞれ２つの部分領域Ｒ１、Ｒ２、Ｂ１、Ｂ２が設けられているが、これは一例であり、さらに多くの部分領域が設けられていても良いし、表示領域Ｒ、Ｂの一方のみが複数の部分領域を有していても良い。尚、特に、３色の発光ダイオードを組み合わせたものを用いた場合、例えば、青色光の光量をさらに大きくすることができ、この場合、表示領域Ｂの面積比率をより小さくできるので、表示領域Ｂは単数のままで、全体に対して占める領域をさらに小さいものとすることが可能である。
【００４６】
図４（ｂ）においても、図４（ａ）の場合と同様、比視感度の低い赤及び青の色要素の領域である表示領域Ｒと表示領域Ｂとが互いに合成領域５３３内で離散配置されていることにより、像光を投射した際画面上に生じる黒い格子模様の原因となる部分が離散して点在する。この場合、表示領域Ｒ、Ｂを複数の部分領域Ｒ１、Ｒ２、Ｂ１、Ｂ２に分配することで、当該部分の１つ１つがさらに小さくできるので、より効果的に、当該部分を見えなくする、あるいは目立たなくすることができる。
【００４７】
以上本実施形態における全ての場合において、第１実施形態と同様に、表示領域Ｒ、Ｇ、Ｂの面積比率と光源の光量の比率とを適宜調整して、例えば、適切なホワイトバランスのとれた像光の形成を行うといった、所望とする画像の特性に応じて各種バランスを取ることが可能である。
【００４８】
また、これとは反対に、光源である図１のＬＥＤ１４が有する波長分布特性によって生じる光源の光量の比率に対応して表示領域Ｒ、Ｇ、Ｂの面積比率を定めても良い。
【００４９】
尚、本実施形態における表示領域Ｒ及び表示領域Ｂの配置、また、部分領域Ｒ１、Ｒ２及び部分領域Ｂ１、Ｂ２の配置は、いずれも例示であり、各領域が互いに表示領域内で離散配置され、かつ、隣接する画素間においても各領域が離散された状態を保つように配置されていれば例示した配置以外のものであってもかまわない。
【図面の簡単な説明】
【００５０】
【図１】は、第１実施形態に係る表示装置を含むプロジェクタについて説明するための図である。
【図２】（ａ）、（ｂ）、（ｃ）は、第１実施形態に係る表示装置のカラーフィルタについて説明するための図である。
【図３】（ａ）、（ｂ）は、第１実施形態の変形例に係る表示装置のカラーフィルタについて説明するための図である。
【図４】（ａ）、（ｂ）は、第２実施形態に係る表示装置のカラーフィルタについて説明するための図である。
【符号の説明】
【００５１】
１００…プロジェクタ、  ５０…表示装置、  ６０…投射レンズ、  １０…光源装置、  ２０…伸張レンズ、  ３０…液晶ライトバルブ、  １４…ＬＥＤ、  ３１…液晶パネル、  ３２…カラーフィルタ、  Ｒ、Ｇ、Ｂ…表示領域、  ３３…合成領域
【図１】
2006201676.tif 000003
【図２】
2006201676.tif 000004
【図３】
2006201676.tif 000005
【図４】
2006201676.tif 000006